(57)【要約】      （修正有）【課題】容量式および電磁式いずれにも対応できるタッチ制御装置を提供する。【解決手段】タッチ制御装置は、透明容量基板１１と、透明電磁基板１２と、接着剤層１３と、を含み、前記透明容量基板は、第１側１１１及び第２側１１２を有し、該透明電磁基板は、第３側１２１及び第４側１２２を有し、該接着剤層は、該透明容量基板及び透明電磁基板の間に設置され、前記透明容量基板の第２側及び透明電磁基板の第３側に貼付し、該透明容量基板を透明電磁基板と互いに接合させ、タッチ制御方式を増加し、前記タッチ制御の利便性を向上させる。【選択図】図１
0003175653.tif 000002
【実用新案登録請求の範囲】
【請求項１】
第１側及び該第１側に相反する第２側を有する透明容量基板と、
第３側及び該第３側に相反する第４側を有し、且つ前記第３側を経由して前記透明容量基板の第２側と接合する透明電磁基板と、
該透明容量基板及び透明電磁基板の間に設置され、該透明容量基板及び透明電磁気版を互いに接合させる接着剤層と、
を有するタッチ制御装置。
【請求項２】
前記接着剤層は、前記透明容量基板の第２側及び透明電磁基板の第３側を接合する請求項１に記載のタッチ制御装置。
【請求項３】
前記透明容量基板は、更に、第１導電層及び第２導電層を有する請求項１に記載のタッチ制御装置。
【請求項４】
前記第１導電層及び第２導電層は、前記第２側の位置に相対して形成される請求項３に記載のタッチ制御装置。
【請求項５】
前記透明電磁基板は、更に、電磁誘電層を有する請求項１に記載のタッチ制御装置。
【請求項６】
前記透明容量基板は、透明電磁気版の材質は、ガラス、ＰＥＴ（Ｐｏｌｙｅｔｈｙｌｅｎｅ  Ｔｅｒｅｐｈｔｈａｌａｔｅ）、ＰＣ（Ｐｏｌｙ  Ｃａｒｂｏｎａｔｅ）、ＰＥ（ｐｏｌｙｅｔｈｙｌｅｎｅ）、ＰＶＣ（Ｐｏｌｙ  Ｖｉｎｙｌ  Ｃｈｌｏｒｉｄｅ）、ＰＰ  （Ｐｏｌｙ  Ｐｒｏｐｙｌｅｎｅ）、ＰＳ（Ｐｏｌｙ  Ｓｔｙｒｅｎｅ）、ＰＭＭＡ（Ｐｏｌｙｍｅｔｈｙｌｍｅｔｈａｃｒｙｌａｔｅ）、ＣＯＣ（ｃｙｃｌｏ  ｏｌｅｆｉｎ  ｃｏｐｌｙｍｅｒ）のうちの何れか１つの材質を選択することができる請求項１に記載のタッチ制御装置。
【請求項７】
前記第１、第２導電層の材質は、ＩＴＯ（Ｉｎｄｉｕｍ  Ｔｉｎ  Ｏｘｉｄｅ）又はＡＴＯ（Ａｎｔｉｍｏｎｙ  Ｔｉｎ  Ｏｘｉｄｅ）薄膜である請求項３に記載のタッチ制御装置。
【請求項８】
前記第１、第２導電層は、コーティング及びエッチングの方式で第２側上に形成される請求項３に記載のタッチ制御装置。
【請求項９】
前記第１、第２導電層は、スクリーン印刷プロセス又は光エッチングプロセスの方式で第２側上に形成される請求項３に記載のタッチ制御装置。
【請求項１０】
前記接着剤層は、ＯＣＡ（Ｏｐｔｉｃａｌ  Ｃｌｅａｒ  Ａｄｈｅｓｉｖｅ）又はＯＣＲ（Ｏｐｔｉｃａｌ  Ｃｌｅａｒ  Ｒｅｓｉｎ）である請求項１に記載のタッチ制御装置。
【考案の詳細な説明】
【技術分野】
【０００１】
本考案は、タッチ制御装置に関し、特に、タッチ制御方式を増加し、タッチ制御の利便性を向上することができるタッチ制御装置に関する。
【背景技術】
【０００２】
情報技術及び通信ネットワークの急速な発展に伴い、電子情報製品は、徐々に個人に普及し、相対してタッチ制御パネルも同時に急速に発展し、現在、タッチ制御パネルは、そのセンサ原理の違いにより、主に抵抗式、容量式、電磁式及び光学式の４種に区分され、そのうち、容量式タッチ制御パネル構造は、防塵、防火及び高解析度等の特性を備えるので幅広く採用され、該容量式タッチ制御パネルの原理は、主に電気容量の変化に基づき、接触点の位置を確認し、タッチするもの（手指等の導体）の接近により電極間に発生する電気容量の電気的変化を利用し、接触点の座標を確定する。
【０００３】
容量式のタッチ制御パネルは、徐々にタッチ制御技術中の主流になりつつもあり、各電子情報製品中、例えば、携帯電話、タブレットＰＣ、メモリスティック、ハンドヘルド装置（設備）、各種ディスプレイ、監視器等に応用され、該容量式タッチ制御パネルの電子情報製品は、その原理が、人体の微弱な電流が形成する電気容量値の変化を感知する方式でタッチ制御の目的を達成するというものであり、手指の位置の変化及びクリック選択の状況を測り取り、操作制御の目的を達成する。
【０００４】
電磁式タッチ制御パネルの原理は、共振回路を含む感圧電磁ペンが電磁タッチ制御パネルに接近する時、デジタルアンテナ板上に磁場の変化を起こし、この時、電磁式タッチ制御パネルが磁束の変化に基づき、感圧電磁ペンの位置、即ちタッチ制御発生箇所を算出することができるというものである。
【０００５】
従って、前記容量式タッチ制御パネル及び電磁式タッチ制御パネルは、何れも応用するタッチ制御方式を有し、その属するタッチ制御方式は、それぞれ利点及び欠点を有し、それによっても、科学技術が絶え間なく進歩する状況において、使用者の使用の要求及び利便性の要求も相対して高くなり、ただ単一のタッチ制御方式を有するだけでは、徐々に使用者の使用要求に適合することができなくなりつつある。
【考案の概要】
【考案が解決しようとする課題】
【０００６】
そこで、上記従来技術の欠陥を解決する為、本考案の目的は、タッチ制御の利便性を向上することができ、タッチ制御方式を増加したタッチ制御装置を提供することである。
【課題を解決するための手段】
【０００７】
上記の目的を達成する為、本考案が提供するタッチ制御装置は、透明要領基板と、透明電磁基板と、接着剤層と、を含み、前記透明容量基板は、第１側及び第２側を有し、該第１側は、第２側に相反し、該第１透明電磁基板は、第３側及び該第３側に双反する第４側を有し、且つ該透明電磁基板は、前記第３側を経由し、前記透明容量基板の第２側に接合し、該接着剤層は、該透明容量基板及び透明電磁基板の間に設置され、前記透明容量基板の第２側及び透明電磁基板の第３側に貼付し、該透明容量基板を透明電磁基板と互いに接合させ、これにより、本考案のタッチ制御装置の設計を介して、タッチ制御方式を増加し、前記タッチ制御の利便性を向上し、応用性を多元化する効果を効率的に達成する。
【考案の効果】
【０００８】
本考案は、従来技術と比較して以下の利点を有する。
１．  少なくとも１つのタッチ制御方式を増加する。
２．  タッチ制御の利便性を向上する。
【図面の簡単な説明】
【０００９】
【図１】本考案の第１好適実施例の断面分解説明図である。
【図２】本考案の第１好適実施例の断面組み合わせ説明図である。
【図３】本考案の第２好適実施例の断面分解説明図１である。
【図４】本考案の第２好適実施例の断面分解説明図２である。
【考案を実施するための形態】
【００１０】
本考案の上記目的及びその構造及び機能上の特性について、図面に基づく好適実施例を挙げ、以下に説明する。
【００１１】
本考案は、タッチ制御装置１であり、図１及び図２を参照し、それは、本考案の好適実施例の断面分解説明図及び断面組み合わせ説明図である。該タッチ制御装置１は、透明要領基板１１と、透明電磁基板１２と、接着剤層１３と、を含み、そのうち、該透明容量基板１１の材質は、該好適実施例において、ガラスで説明するが、これに限定するものではなく、ＰＥＴ（Ｐｏｌｙｅｔｈｙｌｅｎｅ  Ｔｅｒｅｐｈｔｈａｌａｔｅ）、ＰＣ（Ｐｏｌｙ  Ｃａｒｂｏｎａｔｅ）、ＰＥ（ｐｏｌｙｅｔｈｙｌｅｎｅ）、ＰＶＣ（Ｐｏｌｙ  Ｖｉｎｙｌ  Ｃｈｌｏｒｉｄｅ）、ＰＰ  （Ｐｏｌｙ  Ｐｒｏｐｙｌｅｎｅ）、ＰＳ（Ｐｏｌｙ  Ｓｔｙｒｅｎｅ）、ＰＭＭＡ（Ｐｏｌｙｍｅｔｈｙｌｍｅｔｈａｃｒｙｌａｔｅ）、ＣＯＣ（ｃｙｃｌｏ  ｏｌｅｆｉｎ  ｃｏｐｌｙｍｅｒ）のうちの何れか１つの材質である。
【００１２】
また、前記透明容量基板１１は、第１側１１１及び該第１側１１１に双反する第２側１１２を有し、それは、タッチ制御装置１に人体の微弱な電流が形成する容量値の変化を感知してタッチ制御の目的を達成させる。
【００１３】
該透明電磁基板１２の材質は、同一であり、何れもガラスで説明するが、これに限定するものではなく、ＰＥＴ（Ｐｏｌｙｅｔｈｙｌｅｎｅ  Ｔｅｒｅｐｈｔｈａｌａｔｅ）、ＰＣ（Ｐｏｌｙ  Ｃａｒｂｏｎａｔｅ）、ＰＥ（ｐｏｌｙｅｔｈｙｌｅｎｅ）、ＰＶＣ（Ｐｏｌｙ  Ｖｉｎｙｌ  Ｃｈｌｏｒｉｄｅ）、ＰＰ  （Ｐｏｌｙ  Ｐｒｏｐｙｌｅｎｅ）、ＰＳ（Ｐｏｌｙ  Ｓｔｙｒｅｎｅ）、ＰＭＭＡ（Ｐｏｌｙｍｅｔｈｙｌｍｅｔｈａｃｒｙｌａｔｅ）、ＣＯＣ（ｃｙｃｌｏ  ｏｌｅｆｉｎ  ｃｏｐｌｙｍｅｒ）のうちの何れか１つの材質を選択することができる。
【００１４】
また、前記透明電磁基板１２は、第３側１２１及び該第３側１２１に相反する第４側１２２を有し、そのタッチ制御装置１に磁束の変化に基づき感圧電磁ペンの位置を算出させ、タッチ制御の目的を達成させることができる。
【００１５】
更に、前記接着剤層１３は、ＯＣＡ（Ｏｐｔｉｃａｌ  Ｃｌｅａｒ  Ａｄｈｅｓｉｖｅ）又はＯＣＲ（Ｏｐｔｉｃａｌ  Ｃｌｅａｒ  Ｒｅｓｉｎ）であり、且つそれは、該透明容量基板１１及び透明電磁基板１２の間に設置され、即ち、前記接着剤層１３の一側は、透明容量基板１１の第２側１１２と互いに粘着接合し、その他側は、対応する該透明電磁気版１２の第３側１２１に粘着設置され、該接着剤層１３を介して該透明容量基板１１及び透明電磁基板１２を互いに一体に接合させる。
【００１６】
これにより、前記タッチ制御装置１は、前記透明容量基板１１及び透明電磁気版１２の電気的整合を経た後、前記タッチ制御装置１のタッチ制御方式を増加し、前記タッチ制御の利便性及び多元性を向上することができる。
【００１７】
図３及び図４を参照し、それは、本考案の第２好適実施例の断面分解説明図１，２である。該好適実施例の構造、接続関係及びその効果は、略前記第１好適実施例と同一であり、該本好適実施例は、前記透明容量基板１１が更に第１導電層１１３及び第２導電層１１４を有し、該第１導電層１１３及び第２導電層１１４が相対して前記第２側１１２の位置に形成され、且つその材質は、ＩＴＯ（Ｉｎｄｉｕｍ  Ｔｉｎ  Ｏｘｉｄｅ）又はＡＴＯ（Ａｎｔｉｍｏｎｙ  Ｔｉｎ  Ｏｘｉｄｅ）薄膜である。前記第１導電層１１３及び第２導電層１１４は、該好適実施例において、コーティング及びエッチングの方式で第２側１１２上に形成されるが、これに限定するものではない。具体的実施時、スクリーン印刷プロセス又は光エッチングプロセスの方式を選択し、該第２側１１２上に形成することもできる。
【００１８】
また、該透明電磁気版１２は、更に電磁誘電層１２３を有し、該電磁誘導層１２３は、前記第３側１２１又は第４側１２２の位置に相対形成し、且つ該電磁誘導層１２３は、本実施例において、ＣＦ（Ｃｏｌｏｒ  ｆｉｌｔｅｒ）又はＴＦＴアレイ（ＴＦＴ  Ａｒｒａｙ）板又はバックライトモジュール（Ｂａｃｋｌｉｇｈｔ）又は損組み合わせであることができる。前記電磁誘導層１２３は、該好適実施例において、コーティング又はエッチングの方式で該第３側１２１又は第４側１２２上に形成されるが、これに限定するものではなく、具体的実施時、スクリーン印刷プロセス又は光エッチングの方式を選択し、該第３側１２１又は第４側１２２上に形成でき、これにより、前記タッチ制御装置１は、前記透明容量基板１１及び透明電磁基板１２の電気的整合を経た後、前記タッチ制御装置１のタッチ制御方式を増加し、前記タッチ制御の利便性及び多元性を向上することができる。
【００１９】
上記のように、本考案は、従来技術と比較して以下の利点を有する。
３．  少なくとも１つのタッチ制御方式を増加する。
４．  タッチ制御の利便性を向上する。
【００２０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２１】
１      タッチ制御装置
１１    透明電磁気版
１１１  第１側
１１２  第２側
１１３  第１導電層
１１４  第２導電層
１２    透明電磁気版
１２１  第３側
１２２  第４側
１２３  電磁誘導層
１３    接着剤層
【図１】
0003175653.tif 000003
【図２】
0003175653.tif 000004
【図３】
0003175653.tif 000005
【図４】
0003175653.tif 000006